(57)【要約】【課題】容易かつ効率的に着脱可能であるとともに、固定された状態ではがたつくこと無く、また、椅子を構成する部材に過度に負荷を与えてしまうこと無く床に椅子を固定することが可能な椅子の固定構造及び固定方法を提供する。  【解決手段】固定構造１０は、接地部３の内の少なくとも一つを床３０に固定する第一の固定部１１と、第一の固定部１１によって固定されるものと異なる少なくとも一つを床３０に固定する第二の固定部１２とを備え、第一の固定部１１は面ファスナーを構成する一対のファスナー部材１５、１６の一方が接地部３に固定されるとともにファスナー部材１５、１６の他方が接地部３と対応する床３０の支持位置３１に固定されて一対のファスナー部材１５、１６が互いに係合してなり、第二の固定部１２は一対のファスナー部材１５、１６の一方のみが接地部３に固定されてファスナー部材１５、１６の一方が床３０に当接してなる。【選択図】図６
2008212411.tif 000002
【特許請求の範囲】
【請求項１】
複数の接地部を有して床に設置される椅子を前記床に固定する椅子の固定構造であって、
前記接地部の内の少なくとも一つを前記床に固定する第一の固定部と、
前記接地部の内、該第一の固定部によって固定されるものと異なる少なくとも一つを前記床に固定する第二の固定部とを備え、
前記第一の固定部は、面ファスナーを構成する一対のファスナー部材の一方が前記接地部に固定されるとともに、前記ファスナー部材の他方が前記接地部と対応する前記床の支持位置に固定されて、一対の前記ファスナー部材が互いに係合してなり、
前記第二の固定部は、面ファスナーを構成する一対のファスナー部材の一方のみが前記接地部に固定されて、該ファスナー部材の一方が前記床に当接してなることを特徴とする椅子の固定構造。
【請求項２】
請求項１に記載の椅子の固定構造において、
前記接地部の全てに前記ファスナー部材の一方が固定されていることを特徴とする椅子の固定構造。
【請求項３】
請求項１または請求項２の椅子の固定構造において、
前記第一の固定部は、配列する複数の前記接地部の内、隣り合う二つ以上の該接地部に対応して設けられていることを特徴とする椅子の固定構造。
【請求項４】
請求項１から請求項３のいずれかに記載の椅子の固定構造において、
前記ファスナー部材の他方は、前記ファスナー部材の一方と対向する係合面が床面と略等しい高さとなるように前記床に固定されていることを特徴とする椅子の固定構造。
【請求項５】
請求項１から請求項４のいずれかに記載の椅子の固定構造において、
前記ファスナー部材は、それぞれ対応する前記接地部または前記床に固定ネジを螺合して固定されていることを特徴とする椅子の固定構造。
【請求項６】
請求項５に記載の椅子の固定構造において、
前記ファスナー部材は、互いに対向する係合面側に形成され前記固定ネジの頭部が収容された凹部と、該凹部から前記係合面の反対側まで形成され前記固定ネジの軸部が挿通された貫通孔とを有することを特徴とする椅子の固定構造。
【請求項７】
請求項１から請求項６のいずれかに記載の椅子の固定構造において、
前記椅子は、前記接地部として、前側に配置される前側接地部と、後側に配置される後側接地部とを備え、
前記第一の固定部が、前記前側接地部または前記後側接地部の一方と対応して設けられているとともに、前記第二の固定部が、前記前側接地部または前記後側接地部の他方と対応して設けられていることを特徴とする椅子の固定構造。
【請求項８】
請求項７に記載の椅子の固定構造において、
前記椅子は、前記前側接地部及び前記後側接地部をそれぞれ左右二つ備え、
前記第一の固定部が前記前側接地部または前記後側接地部のいずれかの二つに設けられていることを特徴とする椅子の固定構造。
【請求項９】
請求項８に記載の椅子の固定構造において、
前記椅子は、下端に前記前側接地部を有する二つの前脚と、下端に前記後側接地部を有する二つの後脚と、左右方向に延設され、前記前脚同士及び前記後脚同士をそれぞれ連結する二つの横連結杆と、該横連結杆同士を連結するとともに座を支持する一対の縦連結杆とを備えることを特徴とする椅子の固定構造。
【請求項１０】
複数の接地部を有して床に設置される椅子を前記床に固定する椅子の固定方法であって、
前記接地部の二つ以上に、面ファスナーを構成する一対のファスナー部材の一方をそれぞれ固定し、
該ファスナー部材の一方が固定された前記接地部と対応する前記床の支持位置の少なくとも一つに、前記ファスナー部材の他方を固定し、
前記床の前記支持位置の内、前記ファスナー部材の他方が固定されている位置では、該ファスナー部材の他方に、前記接地部に固定された前記ファスナー部材の一方を係合させるとともに、
前記床の前記支持位置の内、前記ファスナー部材の他方が固定されていない位置では、前記床に前記接地部に固定された前記ファスナー部材の一方を当接させることを特徴とする椅子の固定方法。
【請求項１１】
請求項１０に記載の椅子の固定方法において、
前記接地部の全てに前記ファスナー部材の一方を固定することを特徴とする椅子の固定方法。
【請求項１２】
請求項１０または請求項１１の椅子の固定方法において、
配列する複数の前記接地部の内の隣り合う二つ以上について、該接地部及び対応する前記床の前記支持位置に一対の前記ファスナー部材を固定することを特徴とする椅子の固定方法。
【請求項１３】
請求項１０から請求項１２のいずれかに記載の椅子の固定方法において、
前記接地部として、前側に配置される前側接地部と、後側に配置される後側接地部とを備える前記椅子を固定するものであり、
前記前側接地部または前記後側接地部の一方と対応して、前記接地部と前記床の前記支持位置とに一対の前記ファスナー部材を固定して互いに係合させるとともに、
前記前側接地部または前記後側接地部の他方と対応して、前記接地部に前記ファスナー部材の一方のみを固定して前記床に当接させることを特徴とする椅子の固定方法。
【請求項１４】
請求項１３に記載の椅子の固定方法において、
前記前側接地部及び前記後側接地部をそれぞれ左右二つ備える前記椅子を固定するものであり、
前記前側接地部または前記後側接地部のいずれかの二箇所で、一対の前記ファスナー部材を互いに係合させることを特徴とする椅子の固定方法。
【発明の詳細な説明】
【技術分野】
【０００１】
本発明は、椅子を床に固定する椅子の固定構造及び固定方法に関する。
【背景技術】
【０００２】
家具類は、通常、床面上に載置されるものであるが、水平移動や転倒することが無いように床に固定する場合がある。例えば、断面略コの字状で凹部を有する受け本体と、受け本体の下面に接着固定されたベルクロ（登録商標）ファスナーとを有する横移動防止具を用い、受け本体の凹部を家具類の各脚柱の下端に遊びを有して嵌合させ、ループ状カーペットが敷設された床にベルクロ（登録商標）ファスナーを係合させる方法が提案されている（例えば、特許文献１参照）。このような方法によれば、横移動防止具のベルクロ（登録商標）ファスナーがループ状カーペットに対して係合することで床に対して固定されるので、家具類の各脚柱は、横移動防止具の受け本体の凹部内で移動するのみで、水平移動や転倒が規制されることとなる。
【特許文献１】特開平９−１０８０５４号公報
【発明の開示】
【発明が解決しようとする課題】
【０００３】
しかしながら、特許文献１の方法では、家具類の各脚柱は、受け本体の凹部の遊び分だけ凹部内で移動可能であり、椅子などの軽量の家具類では通常使用時においても遊び分だけがたついてしまう問題があった。脚柱に、遊びを有せず密着して横移動防止具の受け本体を嵌合させることも考えられるが、ベルクロ（登録商標）ファスナーとループ状カーペットとの係合する強度が大きい場合には、作用する外力に応じて、脚柱と座を支持する連結杆との接合部分やベルクロ（登録商標）ファスナーが取り付けられている部分に大きな負荷が作用してしまい、脚柱が損傷してしまうおそれがあった。
【０００４】
さらに、家具類を移動させる際には、横移動防止具が脚柱から離脱することとなる。そして、再び所定位置に家具類を設置する際には、横移動防止具を正確に位置決めし、一定の深さを有する受け本体に脚柱を挿入させる必要がある。このため、家具類の内、特に椅子など、一回当りの設置、撤去する基数が多く、また、設置、撤去する頻度が高いものでは、より容易に着脱可能な方法が望まれていた。
【０００５】
この発明は、上述した事情に鑑みてなされたものであって、容易かつ効率的に着脱可能であるとともに、固定された状態では、がたつくこと無く、また、椅子を構成する部材に過度に負荷を与えてしまうこと無く、床に椅子を固定することが可能な椅子の固定構造及び固定方法を提供するものである。
【課題を解決するための手段】
【０００６】
上記課題を解決するために、この発明は以下の手段を提案している。
本発明は、複数の接地部を有して床に設置される椅子を前記床に固定する椅子の固定構造であって、前記接地部の内の少なくとも一つを前記床に固定する第一の固定部と、前記接地部の内、該第一の固定部によって固定されるものと異なる少なくとも一つを前記床に固定する第二の固定部とを備え、前記第一の固定部は、面ファスナーを構成する一対のファスナー部材の一方が前記接地部に固定されるとともに、前記ファスナー部材の他方が前記接地部と対応する前記床の支持位置に固定されて、一対の前記ファスナー部材が互いに係合してなり、前記第二の固定部は、面ファスナーを構成する一対のファスナー部材の一方のみが前記接地部に固定されて、該ファスナー部材の一方が前記床に当接してなることを特徴としている。
【０００７】
また、本発明は、複数の接地部を有して床に設置される椅子を前記床に固定する椅子の固定方法であって、前記接地部の二つ以上に、面ファスナーを構成する一対のファスナー部材の一方をそれぞれ固定し、該ファスナー部材の一方が固定された前記接地部と対応する前記床の支持位置の少なくとも一つに、前記ファスナー部材の他方を固定し、前記床の前記支持位置の内、前記ファスナー部材の他方が固定されている位置では、該ファスナー部材の他方に、前記接地部に固定された前記ファスナー部材の一方を係合させるとともに、前記床の前記支持位置の内、前記ファスナー部材の他方が固定されていない位置では、前記床に前記接地部に固定された前記ファスナー部材の一方を当接させることを特徴としている。
【０００８】
この発明に係る椅子の固定構造及び椅子の固定方法によれば、床に椅子を固定する際には、椅子の接地部に固定されているファスナー部材の一方を対応する床の支持位置に固定されているファスナー部材の他方に当接させるようにして、椅子を設置するだけで良い。そして、床に椅子を設置した状態では、床の支持位置の内、ファスナー部材の他方が固定された支持位置において、対応する接地部に固定されたファスナー部材の一方が係合して第一の固定部を構成し、一対のファスナー部材の係合力で床に接地部を固定することとなる。また、床の支持位置の内、ファスナー部材の他方が固定されていない支持位置において、対応する接地部に固定されたファスナー部材の一方が床に当接して第二の固定部を構成し、ファスナー部材の一方が床に係合することにより、または、両者間に摩擦が生じることにより床に接地部を固定することとなる。このため、椅子は、第一の固定部及び第二の固定部によって、がたつくこと無く固定される。そして、椅子に着座するなどにより外力が作用した場合、第一の固定部では、一対のファスナー部材が係合していることで、床に接地部が固定された状態を保つことができる。一方、第二の固定部では、ファスナー部材の一方のみによって第一の固定部に比べて弱い係合力あるいは摩擦力で床に接地部を固定している。このため、外力の大きさに応じて第二の固定部の固定は解除され、接地部が床に対して僅かに変位することとなる。
【０００９】
また、上記の椅子の固定構造において、前記接地部の全てに前記ファスナー部材の一方が固定されていることがより好ましいとされている。
【００１０】
また、上記の椅子の固定方法において、前記接地部の全てに前記ファスナー部材の一方を固定することがより好ましいとされている。
【００１１】
この発明に係る椅子の固定構造及び椅子の固定方法によれば、全ての接地部にファスナー部材の一方が固定されているので、床に対して接地部を段差無く配置することができる。
【００１２】
また、上記の椅子の固定構造において、前記第一の固定部は、配列する複数の前記接地部の内、隣り合う二つ以上の該接地部に対応して設けられていることがより好ましいとされている。
【００１３】
また、上記の椅子の固定方法において、配列する複数の前記接地部の内の隣り合う二つ以上について、該接地部及び対応する前記床の前記支持位置に一対の前記ファスナー部材を固定することがより好ましいとされている。
【００１４】
この発明に係る椅子の固定構造及び椅子の固定方法によれば、隣り合う二つ以上の接地部で一対のファスナー部材を互いに係合させて第一の固定部を構成するとともに、他の接地部に対応させて第二の固定部を構成している。このため、椅子をより確実に固定するとともに、外力が作用した場合には、第二の固定部が第一の固定部の間で拘束された状態とならずに、外力の大きさに応じて接地部を好適に変位させることができる。
【００１５】
また、上記の椅子の固定構造において、前記ファスナー部材の他方は、前記ファスナー部材の一方と対向する係合面が床面と略等しい高さとなるように前記床に固定されていることがより好ましいとされている。
【００１６】
この発明に係る椅子の固定構造によれば、ファスナー部材の他方が、係合面を床面と略等しい高さとして固定されているので、接地部に対して床に段差が生じてしまうこと無く床に接地部を固定することができる。
【００１７】
また、上記の椅子の固定構造において、前記ファスナー部材は、それぞれ対応する前記接地部または前記床に固定ネジを螺合して固定されていることがより好ましいとされている。
【００１８】
この発明に係る椅子の固定構造によれば、一対のファスナー部材は、固定ネジによって、確実に接地部または床の支持位置に固定されるとともに、固定ネジを緩めることで容易に取り外すことができ、必要に応じてファスナー部材の交換も可能である。
【００１９】
また、上記の椅子の固定構造において、前記ファスナー部材は、互いに対向する係合面側に形成され前記固定ネジの頭部が収容された凹部と、該凹部から前記係合面の反対側まで形成され前記固定ネジの軸部が挿通された貫通孔とを有することがより好ましいとされている。
【００２０】
この発明に係る椅子の固定構造によれば、固定ネジにおいて、ファスナー部材の貫通孔に軸部を挿通し、凹部に頭部を収容して、ファスナー部材は、接地部及び床のそれぞれに固定される。このため、ファスナー部材の一方をファスナー部材の他方に係合し、あるいは、床に当接させる際に固定ネジが支障となってしまうこと無く、また、固定ネジを螺合させるためのスペースを別途設ける必要無く、固定ネジによって接地部または床にファスナー部材を固定することができる。
【００２１】
また、上記の椅子の固定構造において、前記椅子は、前記接地部として、前側に配置される前側接地部と、後側に配置される後側接地部とを備え、前記第一の固定部が、前記前側接地部または前記後側接地部の一方と対応して設けられているとともに、前記第二の固定部が、前記前側接地部または前記後側接地部の他方と対応して設けられていることがより好ましいとされている。
【００２２】
また、上記の椅子の固定方法において、前記接地部として、前側に配置される前側接地部と、後側に配置される後側接地部とを備える前記椅子を固定するものであり、前記前側接地部または前記後側接地部の一方と対応して、前記接地部と前記床の前記支持位置とに一対の前記ファスナー部材を固定して互いに係合させるとともに、前記前側接地部または前記後側接地部の他方と対応して、前記接地部に前記ファスナー部材の一方のみを固定して前記床に当接させることがより好ましいとされている。
【００２３】
この発明に係る椅子の固定構造及び椅子の固定方法によれば、椅子は、接地部として、使用者の着座する際の体の向きと等しい前後方向に配列した前側接地部及び後側接地部によって床に設置された状態となる。そして、前側接地部と後側接地部との一方に第一の固定部を設けるとともに、他方に第二の固定部を設けることで、使用者の体の向きと対応して前後方向に作用する外力に対して、第一の固定部を固定された状態に保つとともに、第二の固定部が設けられた接地部を前後方向に変位させることができる。
【００２４】
また、上記の椅子の固定構造において、前記椅子は、前記前側接地部及び前記後側接地部をそれぞれ左右二つ備え、前記第一の固定部が前記前側接地部または前記後側接地部のいずれかの二つに設けられていることがより好ましいとされている。
【００２５】
また、上記の椅子の固定方法において、前記前側接地部及び前記後側接地部をそれぞれ左右二つ備える前記椅子を固定するものであり、前記前側接地部または前記後側接地部のいずれかの二箇所で、一対の前記ファスナー部材を互いに係合させることがより好ましいとされている。
【００２６】
この発明に係る椅子の固定構造及び椅子の固定方法によれば、前側接地部及び後側接地部によって前後左右の四点で支持する椅子において、前側接地部または後側接地部のいずれか一方を第一の固定部に、他方を第二の固定部とすることで、がたつくこと無く、また、椅子を構成する各部材に必要以上の負荷が作用してしまうこと無く、椅子によって使用者を安定して支持することができる。
【００２７】
また、上記の椅子の固定構造において、前記椅子は、下端に前記前側接地部を有する二つの前脚と、下端に前記後側接地部を有する二つの後脚と、左右方向に延設され、前記前脚同士及び前記後脚同士をそれぞれ連結する二つの横連結杆と、該横連結杆同士を連結するとともに座を支持する一対の縦連結杆とを備えることがより好ましいとされている。
【００２８】
この発明に係る椅子の固定構造によれば、椅子を前脚、後脚、横連結杆、及び、縦連結杆で構成して座を支持するシンプルな構成としても、第一の固定部と第二の固定部とによって、がたつくこと無く、また、椅子の各部材に過度の負荷が作用してしまうこと無く、床に確実に固定することができる。
【発明の効果】
【００２９】
本発明の椅子の固定構造によれば、第一の固定部と第二の固定部とを備えることで、容易かつ効率的に着脱可能であるとともに、固定された状態では、がたつくこと無く、また、椅子を構成する各部材に過度に負荷を与えてしまうこと無く、床に椅子を固定することが可能である。
また、本発明の椅子の固定方法によれば、少なくとも一つの接地部と対応して、一対のファスナー部材を互いに係合させて床に固定するとともに、他の接地部と対応して、ファスナー部材の一方を床に当接させて床に固定することで、容易かつ効率的に着脱可能であるとともに、固定された状態では、がたつくこと無く、また、椅子を構成する各部材に過度に負荷を与えてしまうこと無く、床に椅子を固定することが可能である。
【発明を実施するための最良の形態】
【００３０】
図１から図５は、この発明に係る実施形態を示している。図１は、本実施形態に係る椅子の固定構造によって床に固定される椅子の一例を示している。図１に示すように、椅子１は、座２を有し、前側で左右に配列する前側接地部３ａと、後側で左右に配列する後側接地部３ｂとの四箇所の接地部３によって床３０に設置されている。なお、本実施形態において床３０にはカーペット３０ａが敷設されている。そして、椅子１は、前側接地部３ａを床３０に固定する第一の固定部１１と後側接地部３ｂを床３０に固定する第二の固定部１２とで構成される固定構造１０によって、床３０に固定されている。以下に各構成の詳細を説明する。
【００３１】
図１に示すように、椅子１は、下端を前側接地部３ａとする二つの前脚４、４と、下端を後側接地部３ｂとする二つの後脚５、５と、前脚４、４同士、及び、後脚５、５同士をそれぞれ連結する二つの横連結杆６、６と、横連結杆６、６同士を連結する一対の縦連結杆７、７とを有している。これら椅子１を構成する各部材は、座２を除いて、筒状断面をなすステンレス材等で形成されている。また、横連結杆６、６について、一方は、左右方向に配設されて、前脚４、４の上端部４ａ間に連結され、前脚４、４とで門型状のフレームを形成している。横連結杆６、６の他方も同様に、左右方向に配設されて後脚５、５の上端部５ａ間に連結され、後脚５、５とで門型状のフレームを形成している。また、縦連結杆７、７は、それぞれ前後方向に配設され、二つの横連結杆６、６を連結している。縦連結杆７、７は、座２の下面形状と対応して湾曲して形成されていて、座２は、図示しないボルト等の固定具によって一対の縦連結杆７、７上に固定されている。
【００３２】
前脚４、４の前側接地部３ａ及び後脚５、５の後側接地部３ｂのそれぞれは、フランジ状に拡径している。より詳しくは、図２から図４に示すように、前側接地部３ａ及び後側接地部３ｂには、それぞれ、中央にネジ穴８ａを有する略円板状の固定板８が溶接などによって接合されることで、フランジ状に拡径し、下端に平坦面８ｂが形成されている。そして、平坦面８ｂには、ファスナー部材１５が固定されている。
【００３３】
ファスナー部材１５は、面ファスナーを構成し互いに係合可能な一対のファスナー部材１５、１６の一方をなしている。ファスナー部材１５、１６は、共に、例えば合成樹脂を押し出し成形したもので、略円板状の基部１７と、基部１７の一面１７ａから突出する多数の係合部１８とを有する。係合部１８は、先端１８ａが拡径しキノコ状に形成されている。また、基部１７の一面１７ａには略中央部に凹部１７ｂが形成され、凹部１７ｂには、一面１７ａと反対側の他面１７ｃまで貫通する貫通孔１７ｄが開口している。そして、前脚４、４及び後脚５、５のそれぞれについて、一方のファスナー部材１５は、固定ネジ１９の軸部１９ａを貫通孔１７ｄに挿通させて固定板８のネジ穴８ａに螺合することで、平坦面８ｂに固定されている。ここで、ファスナー部材１５が固定された状態では、固定ネジ１９の頭部１９ｂは、凹部１７ｂに収容された状態となり、一面１７ａ側には、多数の係合部１８の先端１８ａで形成された係合面１５ａが形成されている。
【００３４】
また、床３０において、椅子１の前側接地部３ａが配置される支持位置３１には、上記面ファスナーの内の他方のファスナー部材１６が固定されている。より詳しくは、図２及び図３に示すように、床３０の支持位置３１には、凹部３１ａが形成されていて、ファスナー部材１６が収容されている。凹部３１ａの深さは、ファスナー部材１６を収容した状態において、ファスナー部材１６の多数の係合部１８の先端１８ａが形成する係合面１６ａの高さが床面３０ｂの高さと略等しくなるように設定されている。また、凹部３１ａには、ネジ穴３１ｂが形成されている。そして、ファスナー部材１６は、貫通孔１７ｄに固定ネジ２０の軸部２０ａを挿通させてネジ穴３１ｂに螺合することで固定されている。ファスナー部材１６が固定された状態では、固定ネジ２０の頭部２０ｂは、凹部１７ｂに収容された状態となっている。
【００３５】
そして、椅子１を配置した状態において、前側接地部３ａに固定された一方のファスナー部材１５と、床３０の支持位置３１に固定された他方のファスナー部材１６とは、互いの係合部１８が係合した状態となっていて、互いに係合した一対のファスナー部材１５、１６によって第一の固定部１１を構成している。一方、床３０において、椅子１の後側接地部３ｂが配置される支持位置３２には、他方のファスナー部材１６が設けられていない。そして、椅子１を配置した状態において、後側接地部３ｂに固定された一方のファスナー部材１５は、床３０の床面３０ｂに当接し、係合部１８はカーペット３０ａに没入して係合された状態となり、一方のファスナー部材１５と床３０とによって第二の固定部１２を構成している。
【００３６】
次に、この実施形態の椅子の固定構造及び固定方法の作用について説明する。図５は、固定構造１０によって椅子１を固定した一例を示していて、床構造として段床部Ａと、平坦部Ｂとを有する劇場などの空間において、床３０に椅子１を固定した例を示している。本実施形態では段床部Ａについては、固定構造１０によって椅子１を固定するとともに、平坦部Ｂについては、自由に移動可能に固定構造１０を設けないものとしている。まず、段床部Ａにおいて、最初に椅子１を固定する場合、椅子１の前脚４、４及び後脚５、５のそれぞれに、上記のように一方のファスナー部材１５を固定ネジ１９によって固定する。また、床３０において、椅子１を配置した際に前側接地部３ａと対応する支持位置３１となる位置に凹部３１ａ及びネジ穴３１ｂを穿設する。そして、凹部３１ａに他方のファスナー部材１６を収容して固定ネジ２０によって固定する。
【００３７】
次に、前脚４、４の前側接地部３ａに固定された一方のファスナー部材１５を床３０の支持位置３１に固定された他方のファスナー部材１６に当接させるようにして、床３０に椅子１を配置する。これにより、前脚４、４の前側接地部３ａが配置される床３０の支持位置３１においては、一対のファスナー部材１５、１６が互いに係合し第一の固定部１１を構成することとなる。また、後脚５、５の後側接地部３ｂが配置される床３０の支持位置３２においては、後側接地部３ｂに固定された一方のファスナー部材１５が床面３０ｂに当接配置される。ここで、床３０にはカーペット３０ａが敷設されていることから、ファスナー部材１５の係合部１８は、カーペット３０ａに没入し係合することとなり、第二の固定部１２を構成することとなる。
【００３８】
すなわち、椅子１は、床３０上に配置される各接地部３について、前側接地部３ａでは第一の固定部１１によって、後側接地部３ｂでは第二の固定部１２によって床３０に固定される。ここで、特に第一の固定部１１は、一対のファスナー部材１５、１６が互いに係合することによって固定しているので、各ファスナー部材１５、１６の係合部１８の形状、設置数に応じて、椅子１を固定するに必要な強度を確保することができる。そして、第一の固定部１１を二つの前側接地部３ａと対応して二箇所に設け、残りの後側接地部３ｂについても第二の固定部１２として床３０に固定されていることで、椅子１を床３０に対してがたつくことなく固定することができる。なお、前側接地部３ａ及び後側接地部３ｂの全ての接地部３に一方のファスナー部材１５が固定されているので、床３０に対して接地部３を段差無く配置することができる。さらに、支持位置３１では、他方のファスナー部材１６の係合面１６ａが床面３０ｂと略等しい高さとして固定されているので、接地部３に対して床３０側に段差が生じてしまうこと無く固定することができる。
【００３９】
また、使用目的により椅子１を設置せずに図５に示すような空間を使用する場合がある。この場合には、各椅子１について、第一の固定部１１では一対のファスナー部材１５、１６の互いの係合を解除し、また、第二の固定部１２では一方のファスナー部材１５と床３０との係合を解除して、椅子１を取り外すこととなる。ここで、上記のように第一の固定部１１及び第二の固定部１２とも面ファスナーを利用しているので、椅子１を回転させるように動かすことで容易に取り外すことができる。また、再度椅子１を設置する際には、既に床３０の支持位置３１に他方のファスナー部材１６が固定された状態である。このため、固定されたファスナー部材１６を目印にして、前脚４、４の各前側接地部３ａを配置することで、椅子１を容易に固定した状態にすることができるとともに、複数の椅子１を配列する場合には、床３０に整列して固定されたファスナー部材１６に応じて容易に整列させることができる。
【００４０】
次に、固定構造１０によって固定された椅子１に使用者Ｍが着座する場合について説明する。図６に示すように、使用者Ｍが起立した状態から着座すると、椅子１には外力が作用する。この際、床３０に対して二つの前側接地部３ａ、及び、二つの後側接地部３ｂの四つの接地部３によって支持することで、上下方向Ｚに作用する外力に対抗することができる。また、前側接地部３ａにおいて第一の固定部１１が設けられ、後側接地部３ｂにおいて第二の固定部１２が設けられていることで、左右方向Ｘ及び前後方向Ｙに作用する外力にも対抗し、椅子１が左右方向Ｘ及び前後方向Ｙにがたつく、あるいは、移動してしまうこと無く固定された状態を保つことができる。
【００４１】
また、外力によって、椅子１を構成する各部材である前脚４、４、後脚５、５、横連結杆６、６、及び、縦連結杆７、７には応力が生じ、弾性的に変形しようとする。ここで、椅子１の固定構造１０の内、第一の固定部１１では一対のファスナー部材１５、１６が互いに係合しているのに対して、第二の固定部１２では一方のファスナー部材１５が床３０のカーペット３０ａに係合しているだけであり、第二の固定部１２の係合力は、第一の固定部１１の係合力に比べて弱い。このため、作用する外力が一定以上大きい場合には、第一の固定部１１による固定した状態を保ちつつも、第二の固定部１２による固定した状態は一時的に解除され、後側接地部３ｂは外力の作用する方向に応じて僅かに変位し、椅子１を構成する各部材に生じる応力を低減させることができる。一方、後側接地部３ｂが変位した後、後側接地部３ｂに固定された一方のファスナー部材１５は、再び床３０のカーペット３０ａに係合して第二の固定部１２を構成することとなる。
【００４２】
以上のように、本実施形態の椅子１の固定構造１０及び固定方法では、第一の固定部１１と第二の固定部１２とを備えることで、容易かつ効率的に着脱可能であるとともに、固定された状態では、がたつくことが無い。また、作用する外力の大きさに応じて第二の固定部１２と対応する後側接地部３ｂを変位可能とすることで、椅子１の各部材に過度に負荷を与え損傷させてしまうおそれ無く、床３０に椅子１を固定することが可能である。特に、本実施形態の椅子１のように、前脚４、４、後脚５、５、横連結杆６、６、及び、縦連結杆７、７のみで座２を支持し、座２を支持する支持板や、前脚４、４間及び後脚５、５間を連結する補強部材を有していないシンプルで美観を重視する構造のものでも、外力による変形で損傷を受けてしまうおそれ無く、確実に固定することができる。さらに、上記のように、段床部Ａなどに椅子を設置する場合には、各段の所定位置に確実に固定することができ、特に有効である。なお、上記においては、段床部Ａのみ固定構造１０を設けたが、平坦部Ｂにも固定構造１０を設けるものとしても良い。
【００４３】
また、本実施形態では、隣り合う二つの前側接地部３ａと対応して第一の固定部１１を設け、残りの後側接地部３ｂに対応して第二の固定部１２を設けている。このため、隣り合って配列した第一の固定部１１によって確実に固定された状態を保つとともに、大きな外力が作用した場合には、第二の固定部１２が第一の固定部１１間で拘束された状態とならずに、対応する後側接地部３ｂを好適に変位させることができる。特に、本実施形態では、着座する使用者の体の向きと等しい前後方向Ｙに対応して、一方の前側接地部３ａに第一の固定部１１が設けられ、他方の後側接地部３ｂに第二の固定部１２が設けられている。このため、使用者の体の向きと対応して前後方向Ｙに作用する外力に対して、第一の固定部１１を固定した状態に保つとともに、第二の固定部１２と対応する後側接地部３ｂを前後方向Ｙに好適に変位させることができる。なお、前側接地部３ａに対応して第二の固定部１２を、後側接地部３ｂに対応して第一の固定部１１を設けるものとしても同様の効果を期待することができる。
【００４４】
また、ファスナー部材１５、１６は、それぞれ、接地部３または床３０に固定ネジ１９、２０によって固定されている。このため、ファスナー部材１５、１６を確実に固定することができるとともに、固定ネジ１９、２０を緩めることで容易に取り外すことができ、必要に応じて交換することも可能である。また、ファスナー部材１５、１６を固定した状態において、各固定ネジ１９、２０は、軸部１９ａ、２０ａが貫通孔１７ｄに挿通され、頭部１９ｂ、２０ｂが凹部１７ｂに収容された状態となる。このため、一方のファスナー部材１５を他方のファスナー部材１６に係合し、あるいは、床３０に当接させる際に、固定ネジ１９、２０が支障となってしまうことが無い。また、ファスナー部材１５、１６に固定ネジ１９、２０を螺合させるためのスペースを別途設ける必要が無く、固定ネジ１９、２０によってファスナー部材１５、１６を固定することができる。
【００４５】
なお、本実施形態では、椅子１を固定する例として、カーペット３０ａが敷設された床３０を例に挙げたが、カットパイルやループパイルなど様々なタイプのカーペットに対応可能である。また、カーペットが敷設された床に限るものでも無く、少なくとも、ファスナー部材１６を床面に当接した際に、係合部１８が係合して係合力が発生することにより、または、係合部１８と床面との間に摩擦力が発生することにより、第二の固定部１２を構成して床３０に接地部３を固定することが可能であれば良い。また、第一の固定部１１において、他方のファスナー部材１６は、係合面１６ａを床面３０ｂと略等しい高さとして、凹部３１ａに収容されるものとしたが、これに限ることは無い。固定する椅子の条件、設置する床の条件によって、床面に対して突出させ、あるいは、埋没させても良く、凹部３１ａを設けずに直接床面３０ｂに固定するものとしても良い。
【００４６】
また、面ファスナーを構成する一対のファスナー部材１５、１６としては、上記に限られるものでは無く、様々なタイプのものを選択可能である。すなわち、基部１７の形状について、椅子１の前脚４、４、及び、後脚５、５や、固定板８の形状に応じて、矩形などとしても良い。また、係合部１８の設置数、先端１８ａの形状について、第一の固定部１１及び第二の固定部１２として必要な係合力または摩擦力に応じて適時変更可能であり、床３０がどのようなタイプのものであるかによっても適時変更可能である。さらに、係合部１８は、キノコ状に形成されたものに限るものでは無く、一対のファスナー部材のいずれか一方をフック状に、他方をループ状にするものとしても良い。
【００４７】
また、本実施形態では、前脚４、４、及び、後脚５、５の四脚タイプの椅子について説明したが、これに限るものでは無く、三脚タイプの椅子等についても適用可能である。さらに、脚フレームで支持するタイプにも適用可能である。図７に、変形例として、脚フレームで支持するタイプの椅子４０を示す。
【００４８】
図７に示すように、椅子４０は、座板４１ａ及び背板４１ｂを有し、接地部である四箇所の支持パッド４２によって床３０に設置されている。より詳しくは、椅子４０は、下面に支持パッド４２が設けられた略コの字状の脚フレーム４３と、脚フレーム４３の前端から上方へ伸びる一対の脚杆４４と、脚杆４４の上端から後方へ延びる水平フレーム４５と、水平フレーム４５の後端から上方へ延びる背凭れ支持杆４６とを備える。水平フレーム４５に座板４１ａが固定されているとともに、背凭れ支持杆４６に背板４１ｂが固定されている。
【００４９】
このような椅子４０についても、四箇所の支持パッド４２の二つ以上に、面ファスナーを構成する一方のファスナー部材１５を固定するとともに、ファスナー部材１５が固定された支持パッド４２が配置される支持位置の少なくとも一つに他方のファスナー部材１６を固定して、第一の固定部１１及び第二の固定部１２を構成することで、同様の効果を期待することができる。また、上記においては、略コの字状の脚フレーム４３の四箇所に支持パッド４２が設けられるものとしたが、支持パッド４２を設けずに略コの字状に連続する脚フレーム４３全体で直接支持するタイプにも適用可能である。この場合にも、脚フレーム４３の下面の任意の二箇所以上に面ファスナーを構成する一方のファスナー部材１５を固定し、床３０において対応する位置の少なくとも一箇所に他方のファスナー部材１６を固定し、第一の固定部１１及び第二の固定部１２を構成することで、同様の効果を期待することができる。
【００５０】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００５１】
【図１】本発明の実施形態の椅子の固定構造を示す全体斜視図である。
【図２】本発明の実施形態の椅子の固定構造において、第一の固定部の分解図である。
【図３】本発明の実施形態の椅子の固定構造において、第一の固定部の詳細を示す断面図である。
【図４】本発明の実施形態の椅子の固定構造において、第二の固定部の詳細を示す断面図である。
【図５】本発明の実施形態の椅子の固定構造を用いて椅子を配置した例を示す説明図である。
【図６】本発明の実施形態の椅子の固定構造を用いて配置した椅子を使用した場合の説明図である。
【図７】本発明の実施形態の変形例の椅子の固定構造を示す全体斜視図である。
【符号の説明】
【００５２】
１、４０  椅子
２  座
３  接地部
３ａ  前側接地部
３ｂ  後側接地部
４  前脚
５  後脚
６  横連結杆
７  縦連結杆
１０  固定構造
１１  第一の固定部
１２  第二の固定部
１５  一方のファスナー部材
１６  他方のファスナー部材
１５ａ、１６ａ  係合面
１７ｂ  凹部
１７ｄ  貫通孔
１９、２０  固定ネジ
１９ａ、２０ａ  軸部
１９ｂ、２０ｂ  頭部
４２  支持パッド（接地部）
Ｘ  左右方向
Ｙ  前後方向
【図１】
2008212411.tif 000003
【図２】
2008212411.tif 000004
【図３】
2008212411.tif 000005
【図４】
2008212411.tif 000006
【図５】
2008212411.tif 000007
【図６】
2008212411.tif 000008
【図７】
2008212411.tif 000009